(57)【特許請求の範囲】
【請求項１】
金属製の機器本体と、前記機器本体に設けられ操作部を有する電子回路と、この電子回路を覆うように前記機器本体に取付けられ前記操作部を外部に露呈する操作部用開口を有する絶縁性のケースとを備えた電気機器であって、
前記ケースの前記電子回路が内側に配置された部分の表面のみに沿って導電性シートを粘着剤により固着し、前記ケースは前記機器本体に金属製のねじによりねじ止めされ、導電性シートの外周から一体に突出した突出片を、前記ねじで前記機器本体に共締め固定することで前記導電性シートと前記機器本体を接続し、かつ前記導電性シートに、前記操作部が挿通する開口ならびに前記操作部の周辺に操作用表示を設けたことを特徴とする電気機器。
【請求項２】
前記電子回路が、前記操作部ならびに前記操作部よりも突出した電子部品を有し、前記ケースが、前記操作部に対応する位置に形成した操作部用平面部、ならびに前記電子部品を覆う凸部を有し、前記導電性シートを前記操作部用平面部から凸部に渡って固着した請求項１記載の電気機器。
【発明の詳細な説明】
【０００１】
【発明の属する技術分野】
この発明は、照明器具等の電気機器に関するものである。
【０００２】
【従来の技術】
近年、赤外線リモコンにより点灯・消灯を行う照明器具が一般家庭でも増加している。この方式の照明器具は、器具本体の下面に赤外線受光用の窓が開いており、その中に赤外線受信回路ならびに制御回路等からなる電子回路が組み込まれており、手元のリモコンによって簡単に点灯・消灯の操作が行え、たいへん便利である。
【０００３】
【発明が解決しようとする課題】
しかしながら、家庭内には電磁波を出す電気製品が多くあり、その電磁波によって電子回路が悪影響を受け、照明器具が誤動作するという問題が露呈している。
そこで、そのような悪影響を及ぼす電磁波を遮断するため、電気機器全体を導電ケースに入れ、耐ノイズ性を向上させる試みがなされている。しかし、電気機器全体を導電ケースで覆う構成では、不必要な箇所をも導電ケースにて覆うこととなり、その分コストアップにつながるという問題があった。また、電気機器の外形が複雑な場合、その複雑な外形に合った導電ケースが必要となり、容易に対処することは難しく、また構造が複雑である分、電磁波が導電ケース内に侵入し易くなり、耐ノイズ性にも劣るという問題があった。
【０００４】
この発明の目的は、安価でしかも耐ノイズ性に優れた電気機器を提供することである。
【０００５】
【課題を解決するための手段】
請求項１記載の電気機器は、金属製の機器本体と、前記機器本体に設けられ操作部を有する電子回路と、この電子回路を覆うように前記機器本体に取付けられ前記操作部を外部に露呈する操作部用開口を有する絶縁性のケースとを備えた電気機器であって、前記ケースの前記電子回路が内側に配置された部分の表面のみに沿って導電性シートを粘着剤により固着し、前記ケースは前記機器本体に金属製のねじによりねじ止めされ、導電性シートの外周から一体に突出した突出片を、前記ねじで前記機器本体に共締め固定することで前記導電性シートと前記機器本体を接続し、かつ前記導電性シートに、前記操作部が挿通する開口ならびに前記操作部の周辺に操作用表示を設けたものである。
請求項１記載の電気機器によると、ケースの電子回路が内側に配置された部分の表面のみに沿って導電性シートを粘着剤により固着し、ケースは機器本体に金属製のねじによりねじ止めされ、導電性シートの外周から一体に突出した突出片を、ねじで機器本体に共締め固定することで導電性シートと機器本体を接続したので、外部からの電磁波が導電性シートを伝って機器本体に流れ、電子回路が電磁波による悪影響を受けない。また、ケース固定作業と同時に、導電性シートと機器本体との接続が行える。また、導電性シートはケースの電子回路に対応する表面のみに固着すればよく、むだを省くことができる。また、導電性シートに、操作部が挿通する開口ならびに操作部の周辺に操作用表示を設けたので、導電性シートが電磁波の遮蔽と操作用表示を兼用し、別途操作用ラベルを貼る必要がなくなる。
【０００８】
請求項２記載の電気機器は、請求項１記載の電気機器において、電子回路が、前記操作部ならびに前記操作部よりも突出した電子部品を有し、ケースが、操作部に対応する位置に形成した操作部用平面部、ならびに電子部品を覆う凸部を有し、導電性シートを操作部用平面部から凸部に渡って固着したものである。
【０００９】
請求項２記載の電気機器によると、操作部用平面部と凸部からなる複雑な形状のケースであっても、導電性シートなら極めて容易に前記操作部用平面部から凸部に渡って固着することができ、耐ノイズ性も確実なものとなる。
【００１０】
【発明の実施の形態】
この発明の実施の形態を図１ないし図３に基づいて説明する。
この実施の形態における電気機器は、家庭で一般的に使用される環形蛍光灯を使用した照明器具に関するものであり、図２に照明器具１０の見上げ図、図３にそのIII −III 断面図を示す。
【００１１】
図２および図３において、１１は安定器等の点灯回路２６を内蔵した金属製の器具本体であり、この器具本体１１に取付けた受金１２ならびにホルダ１３にて環形蛍光灯１４が保持されており、下面を透光性のセード１５にて覆ってある。
また、器具本体１１の下面中央部には、赤外線リモコンによる赤外線を受光する受信回路ならびに制御回路等からなる電子回路１６が設けられており、電子回路１６は樹脂等からなる絶縁性のケース１７にて覆われている。なお、ケース１７は金属製のねじ１８，１９にて器具本体１１に取付けられている。
【００１２】
図１に、電子回路１６の設置部分の拡大図を示す。電子回路１６には、操作部２０と、操作部２０よりも下方に突出し金属ケースに覆われた赤外線信号制御用のハイブリッドＩＣ２２ならびに赤外線受信用の受光部２９（図２）が設けられている。また、ケース１７は、ハイブリッドＩＣ２２を覆う凸部２８、受光部２９を覆う受光部用平面部２３、操作部２０に対応する位置に形成した操作部用平面部２１等からなる。操作部２０は、一部がケース１７の操作部用平面部２１の操作部用開口から下方に突出しており、かつケース１７の受光部用平面部２３には受光部２９が露出する孔が開いている。
【００１３】
さらに、操作部用平面部２１の下面に、アルミニウムを下地材に蒸着してなる導電性シート２４を粘着剤等により固着する。導電性シート２４には、操作部２０を挿通する開口が設けられている。また、導電性シート２４の外周には突出片２５が一体形成されており、突出片２５をねじ１８にて器具本体１１に共締め固定して、導電性シート２４をねじ１８を介して金属製の器具本体１１に接続してある。さらに、導電性シート２４の表面には、挿通した各操作部２０の周辺において、操作用表示（スイッチ類の説明等）２７が施されている。
【００１４】
このように構成された照明器具１０によると、電子回路１６を覆ったケース１７に導電性シート２４を固着し、導電性シート２４を金属製の器具本体１１に金属製のねじ１８を介して接続したので、外部からの電磁波が導電性シート２４ならびにねじ１８を伝って器具本体１１に流れ、電子回路１６が電磁波による悪影響を受けず、耐ノイズ性が向上する。
【００１５】
また、導電性シート２４はケースの電子回路１６に対応する表面のみに固着すればよく、むだを省くことができ、低コスト化が図れる。
また、導電性シート２４に操作部２０の操作用表示２７を設けたので、導電性シート２４が電磁波の遮蔽と操作用表示を兼用し、別途操作用ラベルを貼る必要がなく、製造性に優れ、かつ安価である。
【００１６】
また、ケース１７ならびに導電性シート２４の突出片２５を、同じ金属製のねじ１８で器具本体１１に共締め固定したことにより、ケース１７の固定作業と同時に、導電性シート２４と器具本体１１との接続が行える。このように、ねじ１８がケース１７の固定と導電性シート２４の接続を兼用するので、部品点数を削減でき、製造性の向上、ならびに低コスト化が図れる。
【００１７】
さらに、導電性シート２４に操作部２０を挿通する開口が形成されており、導電性シート２４が操作部２０による操作のじゃまにならない。なお、前記実施の形態では、電気機器として照明器具を例示したが、その他の電気機器にも応用できる。また、導電性シート２４は、アルミニウム蒸着以外に、導電性の材料（Ｃｕ，Ｎｉ，Ｚｎ等）にて構成してもよい。
【００１８】
また、前記実施の形態では、ハイブリッドＩＣ２２が金属ケースにて覆われているため、ケース１７の凸部２８には導電性シート２４を固着する必要がなかったが、ハイブリッドＩＣ２２の金属ケースを省いて、導電性シート２４を、ケース１７の操作部用平面部２１から凸部２８さらには受光部用平面部２３にまで渡って固着してもよい。この場合、受光部用平面部２３の受光部２９部分は開けておく。このように、操作部用平面部２１，受光部用平面部２３，凸部２８等からなる複雑な形状のケース１７であっても、導電性シート２４なら極めて容易に操作部用平面部２１から凸部２８，受光部用平面部２３に渡って固着することができ、耐ノイズ性も確実なものとなる。
【００１９】
【発明の効果】
請求項１記載の電気機器によると、ケースの電子回路が内側に配置された部分の表面のみに沿って導電性シートを粘着剤により固着し、ケースは機器本体に金属製のねじによりねじ止めされ、導電性シートの外周から一体に突出した突出片を、ねじで機器本体に共締め固定することで導電性シートと機器本体を接続したので、外部からの電磁波が導電性シートを伝って機器本体に流れ、電子回路が電磁波による悪影響を受けず、耐ノイズ性が向上する。また、ケースの固定作業と同時に、導電性シートと機器本体との接続が行える。このように、金属製のねじが、ケースの固定と導電性シートの接続を兼用するので、部品点数を削減でき、製造性の向上、ならびに低コスト化が図れるという効果が得られる。また、導電性シートはケースの電子回路に対応する表面のみに固着すればよく、むだを省くことができ、低コスト化が図れるという効果が得られる。また、導電性シートに、操作部が挿通する開口ならびに操作部の周辺に操作用表示を設けたので、導電性シートが電磁波の遮蔽と操作用表示を兼用し、別途操作用ラベルを貼る必要がなく、製造性に優れ、かつ安価であるという効果が得られる。
【００２１】
請求項２記載の電気機器によると、操作部用平面部と凸部からなる複雑な形状のケースであっても、導電性シートなら極めて容易に前記操作部用平面部から凸部に渡って固着することができ、耐ノイズ性も確実なものとなるという効果が得られる。
【図面の簡単な説明】
【図１】この発明の実施の形態における電気機器の部分断面図である。
【図２】この発明の実施の形態における電気機器の見上げ図である。
【図３】図２のIII −III 断面図である。
【符号の説明】
１０  照明器具（電気機器）
１１  器具本体（機器本体）
１６  電子回路
１７  ケース
１８，１９  ねじ
２０  操作部
２１  操作部用平面部
２４  導電性シート
２５  突出片
２７  操作用表示
２８  凸部
【図１】
0003758222.tif 000002
【図２】
0003758222.tif 000003
【図３】
0003758222.tif 000004